(57)【要約】【課題】極めて簡単な構成で路面に溜まる雨水等を効率よく効果的に排水することができ、強度も十分に確保できる水路ブロックの溝蓋受け枠部の構造及び水路ブロックの溝蓋受枠部材を提供する。【解決手段】内部に水路溝を有するブロック体の上面に溝蓋を取り外し可能に載置する開口部を有する水路ブロックにおいて、前記水路ブロックの水路溝の溝方向に延設された上板部と該上板部の前記水路溝側に垂設された前板部と該前板部の下部の前記水路溝側に張設された張出部を有する金属製の枠部材を備え、前記枠部材は前記開口部において溝蓋受部として前記前板部及び張出部によって溝蓋を収容保持するとともに、前記開口部において前記枠部材に形成された背板部及び下板部ならびに前記上板部及び前板部とによって筒状の箱部が形成され、前記背板部には透水部が形成され、かつ前記下板部には前記水路溝側へ開口する排水部が形成されている。【選択図】図１
2008303548.tif 000002
【特許請求の範囲】
【請求項１】
内部に水路溝を有するブロック体の上面に溝蓋を取り外し可能に載置する開口部を有する水路ブロックにおいて、
前記水路ブロックの水路溝の溝方向に延設された上板部と該上板部の前記水路溝側に垂設された前板部と該前板部の下部の前記水路溝側に張設された張出部を有する金属製の枠部材を備え、
前記枠部材は前記開口部において溝蓋受部として前記前板部及び張出部によって溝蓋を収容保持するとともに、前記開口部において前記枠部材に形成された背板部及び下板部ならびに前記上板部及び前板部とによって筒状の箱部が形成され、前記背板部には透水部が形成され、かつ前記下板部には前記水路溝側へ開口する排水部が形成されている
ことを特徴とする水路ブロックの溝蓋受枠部の構造。
【請求項２】
水路溝を有するコンクリート製水路ブロックに一体に埋設される金属製枠部材であって、
前記水路ブロックの水路溝の溝方向に延設される上板部と該上板部の前記水路溝側に垂設された前板部と該前板部の下部に前記水路溝側に張設された張出部を有する金属製枠部材を備え、
前記枠部材は、前記水路ブロックの開口部において前記前板部及び張出部によって溝蓋を収容保持する溝蓋受部を有するとともに、前記溝蓋受部には前記枠部材に形成された背板部及び下板部ならびに前記上板部及び前板部とによって筒状の箱部が形成され、前記背板部には透水部が形成され、かつ前記下板部には前記水路溝側へ開口する排水部が形成されている
ことを特徴とする水路ブロックの溝蓋受枠部材。
【発明の詳細な説明】
【技術分野】
【０００１】
この発明は、水路ブロックの溝蓋受枠部の構造及び水路ブロックの溝蓋受枠部材に関する。
【背景技術】
【０００２】
従来、歩道や車道等に排水用の側溝として設けられる水路ブロックが広く知られており、前記水路ブロックは断面がＵ字状あるいは逆Ｕ字状のコンクリート製のブロック体の内部に水路溝があり、前記ブロック体の上面には溝蓋を取り外し可能に載置できる開口部が形成されている。例えば、降雨時の路面に溜まる雨水は、道路に設けられた勾配により道路端に集水され、側溝の上面に設けられた溝蓋から、水路ブロック内部の水路溝へ集水されて排水される。
【０００３】
ところが、従来の溝蓋から排水されるのはその上側から流入する雨水であり、アスファルト等の舗装がなされた道路に水路ブロックを施工する場合において、施工時の誤差や舗装層の陥没等によって、舗装層と溝蓋が載置された側溝の側壁とに生じた段差部分に雨水が溜まり、溝蓋から十分に排水しきれずに道路が冠水して通行の障害になる等の問題があった。また、近年では表層部分に排水性のよい透水性舗装層を設けて、道路の舗装表面の冠水を防止することも行われている。この場合であっても同様に、透水性舗装層とその下側の非透水性舗装層との間に溜まる雨水を集水して排水する必要があり、排水性舗装の排水設備としての水路ブロックも提案されている（例えば、特許文献１参照）。
【０００４】
この排水性舗装の排水設備としての排水ブロックは、溝蓋が鉄筋コンクリートにより形成されており、該溝蓋の中央部には長手方向に帯状のスリット部が形成され、前記スリット部に嵌合されるグレーチングが備えられる。また、溝蓋の側面部には排水孔が形成され、前記排水孔から溝内部へ連通する樹脂製の排水管が埋設されるとともに、側面部の排水孔の周囲には集水のために取水凹部が形成される。このように構成することで、溝蓋側面部からも雨水を水路ブロック内部の溝に排水することができる。
【０００５】
しかしながら、溝蓋の上面を人や車両が通行することなどによる衝撃や負荷が加わると、上記のようにコンクリート製の溝蓋内部に樹脂製の排水管を埋設した場合には、使用環境によって溝蓋の強度が不足して破損するおそれがある。また、強度の低下を防ぐために、排水管の数や径の大きさを規制する場合には、十分な排水能力が得られないことが懸念される。さらに、溝蓋の成形時においては、型枠内に樹脂製の排水管を固定したり、取水凹部となる切り欠きを形成したりする作業が必要であり、製造工程が極めて煩雑になる。
【特許文献１】特開２００２−２２７１１１号公報
【発明の開示】
【発明が解決しようとする課題】
【０００６】
この発明は前記の点に鑑みなされたもので、路面に溜まる雨水等を効率よく効果的に排水することができ、極めて簡単な構成で強度も十分に確保できる水路ブロックの溝蓋受け枠部の構造及び水路ブロックの溝蓋受枠部材を提供することを目的とする。
【課題を解決するための手段】
【０００７】
すなわち、請求項１の発明は、内部に水路溝を有するブロック体の上面に溝蓋を取り外し可能に載置する開口部を有する水路ブロックにおいて、前記水路ブロックの水路溝の溝方向に延設された上板部と該上板部の前記水路溝側に垂設された前板部と該前板部の下部の前記水路溝側に張設された張出部を有する金属製の枠部材を備え、前記枠部材は前記開口部において溝蓋受部として前記前板部及び張出部によって溝蓋を収容保持するとともに、前記開口部において前記枠部材に形成された背板部及び下板部ならびに前記上板部及び前板部とによって筒状の箱部が形成され、前記背板部には透水部が形成され、かつ前記下板部には前記水路溝側へ開口する排水部が形成されていることを特徴とする水路ブロックの溝蓋受枠部の構造に係る。
【０００８】
また、請求項２の発明は、水路溝を有するコンクリート製水路ブロックに一体に埋設される金属製枠部材であって、前記水路ブロックの水路溝の溝方向に延設される上板部と該上板部の前記水路溝側に垂設された前板部と該前板部の下部に前記水路溝側に張設された張出部を有する金属製枠部材を備え、前記枠部材は、前記水路ブロックの開口部において前記前板部及び張出部によって溝蓋を収容保持する溝蓋受部を有するとともに、前記溝蓋受部には前記枠部材に形成された背板部及び下板部ならびに前記上板部及び前板部とによって筒状の箱部が形成され、前記背板部には透水部が形成され、かつ前記下板部には前記水路溝側へ開口する排水部が形成されていることを特徴とする水路ブロックの溝蓋受枠部材に係る。
【発明の効果】
【０００９】
請求項１の発明に係る水路ブロックの溝蓋受枠部の構造によれば、内部に水路溝を有するブロック体の上面に溝蓋を取り外し可能に載置する開口部を有する水路ブロックにおいて、前記水路ブロックの水路溝の溝方向に延設された上板部と該上板部の前記水路溝側に垂設された前板部と該前板部の下部の前記水路溝側に張設された張出部を有する金属製の枠部材を備え、前記枠部材は前記開口部において溝蓋受部として前記前板部及び張出部によって溝蓋を収容保持するとともに、前記開口部において前記枠部材に形成された背板部及び下板部ならびに前記上板部及び前板部とによって筒状の箱部が形成され、前記背板部には透水部が形成され、かつ前記下板部には前記水路溝側へ開口する排水部が形成されているため、極めて簡単な構造で透水部より流入した水を水路ブロックの水路溝へ効率よく効果的に排水することができる。また、溝蓋受枠部の強度を十分に確保できる。
【００１０】
請求項２の発明に係る水路ブロックの溝蓋受枠部材によれば、水路溝を有するコンクリート製水路ブロックに一体に埋設される金属製枠部材であって、前記水路ブロックの水路溝の溝方向に延設される上板部と該上板部の前記水路溝側に垂設された前板部と該前板部の下部に前記水路溝側に張設された張出部を有する金属製枠部材を備え、前記枠部材は、前記水路ブロックの開口部において前記前板部及び張出部によって溝蓋を収容保持する溝蓋受部を有するとともに、前記溝蓋受部には前記枠部材に形成された背板部及び下板部ならびに前記上板部及び前板部とによって筒状の箱部が形成され、前記背板部には透水部が形成され、かつ前記下板部には前記水路溝側へ開口する排水部が形成されているため、極めて簡単な構成で優れた排水効果を得ることができる。また、金属製であるので軽量で加工が容易であると共に耐久性にも優れている。さらに、枠部材とコンクリート製水路ブロックを一体成形することができるので、施工が容易である。
【発明を実施するための最良の形態】
【００１１】
以下添付の図面に従ってこの発明を詳細に説明する。図１はこの発明の実施例に係る水路ブロックの溝蓋受枠部材及び溝蓋受枠部を示す概略斜視図、図２は図１の水路ブロックを設置した状態を示す断面模式図、図３は溝蓋受枠部材の要部の斜視図、図４は溝蓋受枠部材の箱部及び排水部を切欠いた要部の斜視図、図５は図１の５−５線で切断した状態の断面図、図６は図１の６−６線で切断した状態の断面図、図７は図１の７−７線で切断した状態の断面図、図８はこの発明の別の実施例に係る水路ブロックの溝蓋受枠部材及び溝蓋受枠部を示す概略斜視図である。
【００１２】
図１ないし図７に示されるように、この発明の実施例である水路ブロックの溝蓋受枠部材１０は、図２のような水路溝４３を有するコンクリート製水路ブロック４０に一体に埋設される金属製枠部材１１であって、前記水路ブロック４０の水路溝４３の溝方向（図１の矢印Ａ方向）に延設される上板部１２と、図２ないし図４に示される該上板部１２の前記水路溝４３側に垂設された前板部１３と該前板部１３の下部１４に前記水路溝４３側に張設された張出部１５を有する金属製枠部材１１を備える。そして、前記枠部材１１は、図２、図６及び図７からよく理解されるように、前記水路ブロック４０の開口部４６において前記前板部１３及び張出部１５によって溝蓋５０を収容保持する溝蓋受部１６を有するとともに、前記溝蓋受部１６には前記枠部材１１に形成された背板部２１及び下板部２２ならびに前記上板部１２及び前板部１３とによって筒状の箱部２０が形成され、前記背板部２１には透水部２９が形成され、かつ前記下板部２２には前記水路溝側へ開口する排水部３０が形成されている。
【００１３】
まず、実施例の水路ブロック４０は、設置されたときに図２のように内部４２に水路溝４３を有し、図１に示されるブロック体４１の上面４５に溝蓋５０を取り外し可能に載置する開口部４６を有する。前記水路ブロック４０はその形状は特に限定されず、図１では、断面が逆Ｕ字状のコンクリート製のブロック体４１を有する。例えば図２のように、水路ブロック４０が設置される際には、ブロック体４１の下部にはインバートコンクリート６０などが設けられ、これによりブロック体４１の内部４２に水路溝４３が形成される。
【００１４】
また、図１とは別の実施例である図８に示される溝蓋受枠部材１０Ａのように、水路ブロックとして、断面がＵ字状のブロック体７１を有する水路ブロック７０が用いられてもよい。ブロック体の７１の上面７５には溝蓋５０を載置するための開口部７６が設けられ、前記開口部７６の両側は、適宜の切り欠きや孔部が形成されるなどしたコンクリート製の蓋部７７によって上面が閉じられる。なお、図８において図１と同一の符号は後述する構成部材と同一構成を表すものであり、ここでの説明は省略する。
【００１５】
次に、金属製枠部材１１，１１は、図１及び図２から理解されるように、水路溝４３を有するコンクリート製水路ブロック４０に一体に埋設される。なお、これらの金属製枠部材１１，１１は同一構成であるため、以下の説明において、一側の金属製枠部材１１について説明する。図１及び図３に示されるように、金属製枠部材１１の両端側に水路ブロックに埋入される埋入部１９，１９が形成され、これらの埋入部１９，１９の間に後述の溝蓋受部１６が形成される。前記埋入部１９，１９はブロック体４１の上部に埋設され、前記埋入部１９には、図３のように複数の固定用アンカー１８が前板部１３に対して垂直方向あるいは水平方向（図示せず）又は両方向等に設けられており、これによりブロック体４１に一体化され、確実に固定される。なお、前記水路溝は、図２のように水路ブロック４０が設置された状態で形成される水路溝４３や図８のように水路ブロック７０に備えられる水路溝７３等が含まれる。
【００１６】
また、金属製枠部材１１は、図１、図２、図６及び図７から理解されるように、水路ブロック４０の開口部４６において、溝蓋受部１６によって溝蓋５０を載置できるように、ブロック体４１の上部に配設される。実施例では、図１に示すブロック体４１の上面４５と溝蓋受部１６，１６に載置された溝蓋５０の上面が概ね同じ位の高さになるように構成される。
【００１７】
金属製枠部材１１は、図３及び図４に示されるように、前記水路ブロック４０の水路溝の溝方向（矢印Ａ方向）に延設される上板部１２と該上板部１２の前記水路溝側に垂設された前板部１３と該前板部１３の下部１４に前記水路溝側に張設された張出部１５を有する。前記金属製枠部材１１は、ステンレス材や鋼材あるいは鋳物材等の金属製板材よりなり、前記枠部材１１の各構成部材は、溶接等により固着されて前記枠部材１１が形成される。また、前記枠部材１１には、耐候性、耐食性等を向上させるために、適宜表面に亜鉛等の溶融メッキが施されてもよい。なお、この実施例では、図３から理解されるように、金属製枠部材１１の張出部１５には溝蓋５０を載置してボルトで固定するための取付孔Ｈ，Ｈが形成される。
【００１８】
また、前記金属製枠部材１１は、図４、図６及び図７に示されるように、水路ブロック４０の開口部４６において、前記前板部１３及び張出部１５によって溝蓋５０を収容保持する溝蓋受部１６が構成される。前記溝蓋受部１６は、前板部１３及び張出部１５によって断面略Ｌ字状あるいは逆Ｌ字状に形成される。なお、図示の実施例では、前板部１３の高さは、溝蓋５０の高さと概ね同程度に形成され、張出部１５は溝蓋５０が十分に載置できる大きさに形成される。前記溝蓋５０は従来公知のものであり、実施例においては、溝蓋５０として鋼材等の金属製の枠部材と該枠部材内に設けられた主部材と補強部材であるねじり棒を有するグレーチングが溝蓋受部１６に載置される。
【００１９】
さらに、図３、図４及び図６に示されるように、前記溝蓋受部１６には、前記枠部材１１に形成された背板部２１及び下板部２２ならびに前記上板部１２及び前板部１３とによって筒状の箱部２０が形成され、前記背板部２１には透水部２９が形成される。この箱部２０は前記透水部２９より流入した水を集水して、後述の排水部３０より図２に示される水路溝４３へ排水するためのものであり、筒状であるため流入した水を集水しやすく、外部から負荷が加わっても変形や破損が生じにくい。なお、水路ブロックが設置される場所によっては、前記透水部２９は背板部２１だけではなく、排水能力をさらに向上させるために溝蓋受部１６の上板部１２にも設けられてもよい。
【００２０】
実施例では、図６に示されるように、背板部２１は上板部１２から前板部１３と反対側に垂設され、下板部２２は前板部１３の下部１４に溝蓋受部１６の張出部１５と反対側に配設される。なお、前記背板部２１は、図３の後板部１７の下部に透水部２９を有する金属板材が溶接、固着されて形成される。また、図中の符号２３は、箱部２０の両端側に設けられる側板部２３である。
【００２１】
そして、図４及び図７からよく理解されるように、前記下板部２２には水路溝４３側へ開口する排水部３０が形成される。排水部３０の形状や数は当業者に自明な範囲で適宜調整でき、透水孔２９より流入して箱部２０によって集水された水が、図２の水路ブロック４０の内部４２の水路溝４３へ排水されるように形成される。この実施例では、図４に示されるように、溝蓋受部１６に２箇所の排水部３０，３０が設けられ、水路溝側へ排水口３５が各々形成される。なお、図４中において符号３３及び３４は排水部３０の側板部である。
【００２２】
排水部３０において、箱部２０を形成する下板部２２には、図４からよく理解されるように、開口部２５が設けられる。前記透水部２９から流入して箱部２０に集水された水は、この開口部２５から排水部３０へ容易に導水されることができる。一方、排水部３０の背板部３２は、図３及び図７のように、箱部２０を構成する背板部よりさらに下方へ延設されて、その下部に底板部３１が設けられる。この底板部３１は、下方へ傾斜した板部材により構成される。これにより、図２の排水部３０へ集水された水Ｗが水路ブロック４０の水路溝４３へスムーズに排水される。以上のように構成される水路ブロックの溝蓋受枠部材１０は、極めて簡単な構成で優れた排水効果を有する。また、車両や人が通行するなどして大きな衝撃や負荷がかかっても、溝蓋受枠部材として十分な強度を確保することができる。
【００２３】
続いて、この発明の実施例である水路ブロックの溝蓋受枠部９の構造を図１ないし図７を用いて説明する。なお、各構成部材については上述したので、その説明を省略する。図１及び図２に示すように、内部に水路溝４３を有するブロック体４１の上面４５に溝蓋５０を取り外し可能に載置する開口部４６を有する水路ブロック４０において、前記水路ブロック４０の水路溝４３の溝方向（矢印Ａ方向）に延設された上板部１２と、図３から理解される該上板部１２の前記水路溝側に垂設された前板部１３と該前板部１３の下部の前記水路溝側に張設された張出部１５を有する金属製の枠部材１１，１１を備える。
【００２４】
そして、図６に示されるように、前記枠部材１１は前記開口部４６において溝蓋受部１６として前記前板部１３及び張出部１５によって溝蓋５０を収容保持するとともに、前記開口部４６において前記枠部材１１に形成された背板部２１及び下板部２２ならびに前記上板部１２及び前板部１３とによって筒状の箱部２０が形成される。また、図２、図４及び図７からよく理解されるように、前記背板部２１には透水部２９が形成され、かつ前記下板部２２には前記水路溝４３側へ開口する排水部３０が形成されるものである。そのため、極めて簡単な構造で前記枠部材を水路ブロックに一体成形することができ、施工作業が容易であり、排水効果が極めて高いものである。また、別の実施例である図８の水路ブロック７０の溝蓋受枠部９Ａについても同様であるのでその説明を省略する。
【００２５】
以上説明した水路ブロック４０が側溝として設置されて雨水を排水する一例を説明する。図２に示されるように、まず、基礎材６２及び基礎コンクリート６１が敷設され、前記基礎コンクリート６１の上面はなるべく平滑になるように設けられる。そして、基礎コンクリート６１の上面には、水路ブロック４０を所望の高さに設置できるように調整された敷モルタル等が適宜設けられて、その上側に水路ブロック４０のブロック体４１が設置され、インバートコンクリート６０が打設される。上述したように、このインバートコンクリート６０によって、ブロック体４１の内部４２に水路溝４３が形成される。なお、図２中において、符号Ｍは土層である。
【００２６】
そして、透水性舗装層Ｒが、前記水路ブロック４０に一体に埋設された溝蓋受枠部材１１及び溝蓋５０の上面と同程度の高さになるように敷設されて水路ブロック４０が固定、設置される。このように設置された水路ブロック４０において、降雨時に路面に溜まる雨水は、まず路面の最表面層として敷設される透水性舗装層Ｒの透水層Ｒ１及び基層Ｒ２に浸水される。この透水性舗装層Ｒと土層Ｍとの界面には、所望により水路ブロック４０側へ勾配が設けられるなどして、雨水が水路ブロック４０側へ集水される。そして、さらに雨水Ｗは溝蓋受枠部材１０の背板部に設けられた透水部２９より流入して、枠部材１１に設けられた箱部２０に集水される。このようにして、箱部２０に集水された雨水Ｗは排水部３０より極めて効率よくスムーズに水路ブロック内部４２の水路溝４３へ排水される。
【００２７】
なお、この発明は前述の実施例のみに限定されるものではなく、溝蓋受枠部材が埋設された水路ブロックが、施工される設置場所や排水量等に応じて、この発明の趣旨を逸脱しない範囲において、当業者に自明の範囲で構成の一部を適宜に変更して実施することができる。
【図面の簡単な説明】
【００２８】
【図１】この発明の実施例に係る水路ブロックの溝蓋受枠部材及び溝蓋受枠部を示す概略斜視図である。
【図２】図１の水路ブロックを設置した状態を示す断面模式図である。
【図３】溝蓋受枠部材の要部の斜視図である。
【図４】溝蓋受枠部材の箱部及び排水部を切欠いた要部の斜視図である。
【図５】図１の５−５線で切断した状態の断面図である。
【図６】図１の６−６線で切断した状態の断面図である。
【図７】図１の７−７線で切断した状態の断面図である。
【図８】この発明の別の実施例に係る水路ブロックの溝蓋受枠部材及び溝蓋受枠部を示す概略斜視図である。
【符号の説明】
【００２９】
９，９Ａ  水路ブロックの溝蓋受枠部
１０，１０Ａ  水路ブロックの溝蓋受枠部材
１１  金属製枠部材
１２  上板部
１３  前板部
１５  張出部
１６  溝蓋受部
２０  箱部
２１  背板部
２２  下板部
３０  排水部
４０，７０  水路ブロック
４３，７３  水路溝
４６，７６  開口部
【図１】
2008303548.tif 000003
【図２】
2008303548.tif 000004
【図３】
2008303548.tif 000005
【図４】
2008303548.tif 000006
【図５】
2008303548.tif 000007
【図６】
2008303548.tif 000008
【図７】
2008303548.tif 000009
【図８】
2008303548.tif 000010